(57)【要約】【課題】本発明は、回転式の気化式加湿フィルターを備えた加湿機に関するもので、加湿能力を更に向上できるものである。【解決手段】そしてこの目的を達成するために本発明は、送風手段５は、吸気口１から本体ケース３内に吸気した空気を加湿フィルターユニット６内から吹出口２へと送風し、加湿フィルターユニット６は、四角形状の柔軟性のある第１の加湿フィルター部４０と、四角形状の柔軟性のある第２の加湿フィルター部４１とを結合した構成とし、第１の加湿フィルター部４０の一方側の辺部と他方側の辺部とを結合し円筒形状とし、この円筒形状の第１の加湿フィルター部４０の一方側の開口を塞ぐように第２の加湿フィルター部４１を結合したことを特徴とする。【選択図】図１
2015064172.tif 000002
【特許請求の範囲】
【請求項１】
吸気口と吹出口を有する本体ケースと、この本体ケース内に設けられた加湿手段と送風手段とを備え、前記加湿手段は、略コップ形状の加湿フィルターユニットと、前記加湿フィルターユニットを固定し回転自在に設けられた加湿フィルター枠と、前記加湿フィルター枠を水平方向の回転軸で回転させる回転手段と、前記加湿手段の下部に設けた水槽とからなり、前記加湿フィルター枠は、前記加湿フィルターユニットの周面の一部が前記水槽に供給された水に常時浸るように前記加湿フィルター枠を設けると共に、前記加湿フィルターユニットの中心軸を回転軸として回転し、前記送風手段は、前記吸気口から前記本体ケース内に吸気した空気を前記加湿フィルターユニット内から前記吹出口へと送風し、前記加湿フィルターユニットは、四角形状の柔軟性のある第１の加湿フィルター部と、四角形状の柔軟性のある第２の加湿フィルター部とを結合した構成とし、前記第１の加湿フィルター部の一方側の辺部と他方側の辺部とを結合し円筒形状とし、この円筒形状の前記第１の加湿フィルター部の一方側の開口を塞ぐように前記第２の加湿フィルター部を結合したことを特徴とする加湿機。
【請求項２】
前記第２の加湿フィルター部は、前記第２の加湿フィルター部の一方側の辺部と他方側の辺部とを結合し円筒形状とし、前記第１の加湿フィルター部の内方に円筒形状の前記第２の加湿フィルター部を設け、前記第１の加湿フィルター部の中心軸と、前記第２の加湿フィルター部の中心軸とが同一になるように前記第１の加湿フィルター部と前記第２の加湿フィルター部の一方側の開口端部を結合し、前記第２の加湿フィルター部の他方側の開口を塞ぐように他方側の開口端部を重ねて結合した構成とした請求項１に記載の加湿機。
【請求項３】
前記送風手段の吸込口は、前記第１の加湿フィルター部の外周面に対向し、前記第１の加湿フィルター部は、前記第２の加湿フィルター部より通風抵抗が大きいことを特徴とした請求項１または２に記載の加湿機。
【請求項４】
前記第１の加湿フィルター部は、ｎ枚の第１の加湿フィルター材からなり、前記第２の加湿フィルター部は、ｍ枚の第２の加湿フィルター材からなり、ｎ枚は、ｍ枚より大きいことを特徴とした請求項３に記載の加湿機。
【発明の詳細な説明】
【技術分野】
【０００１】
本発明は、回転式の気化式加湿フィルターを備えた加湿機に関する。
【背景技術】
【０００２】
従来、この種の加湿機は、吸気口と吹出口を有する本体ケースと、この本体ケース内に設けられた加湿手段と送風手段とを備え、前記加湿手段は、筒形状の加湿フィルターユニットと、前記加湿フィルターユニットを固定し回転自在に設けられた加湿フィルター枠と、前記加湿フィルター枠を水平方向の回転軸で回転させる回転手段と、前記加湿手段の下部に設けた水槽とからなり、前記加湿フィルター枠は、前記加湿フィルターユニットの周面の一部が前記水槽に供給された水に常時浸るように前記加湿フィルター枠を設けると共に、前記加湿フィルターユニットの中心軸を回転軸として回転し、前記加湿フィルターユニットの一方側の開口を塞ぎ、前記送風手段は、前記吸気口から前記本体ケース内に吸気した空気を前記加湿フィルター内から前記吹出口へと送風していた（例えばこれに類する先行文献としては、下記特許文献１が存在する）。
【先行技術文献】
【特許文献】
【０００３】
【特許文献１】特開２００４−２２６０２３号公報
【発明の概要】
【発明が解決しようとする課題】
【０００４】
上記従来例における課題は、加湿能力を更に向上することである。
【０００５】
すなわち、従来の物においては、加湿フィルターは、円筒形状で、加湿フィルター枠は、加湿フィルターユニットの一方側の開口を塞いでいた。そして、送風手段は、吸気口から本体ケース内に吸気した空気を、加湿フィルターユニットの他方側の開口から、加湿フィルターユニット内へ送風していた。この送風された空気は、加湿フィルターユニットを介して吹出口へとながれていた。ここで、加湿能力は、主に加湿フィルターユニットの面積で決まるものであった。
【０００６】
そこで本発明は、本体ケースを大きくせずに、加湿フィルターユニットの面積を大きくし、加湿能力を更に向上することを目的としている。
【課題を解決するための手段】
【０００７】
そしてこの目的を達成するために本発明は、吸気口と吹出口を有する本体ケースと、この本体ケース内に設けられた加湿手段と送風手段とを備え、前記加湿手段は、略コップ形状の加湿フィルターユニットと、前記加湿フィルターユニットを固定し回転自在に設けられた加湿フィルター枠と、前記加湿フィルター枠を水平方向の回転軸で回転させる回転手段と、前記加湿手段の下部に設けた水槽とからなり、前記加湿フィルター枠は、前記加湿フィルターユニットの周面の一部が前記水槽に供給された水に常時浸るように前記加湿フィルター枠を設けると共に、前記加湿フィルターユニットの中心軸を回転軸として回転し、前記送風手段は、前記吸気口から前記本体ケース内に吸気した空気を前記加湿フィルターユニット内から前記吹出口へと送風し、前記加湿フィルターユニットは、四角形状の柔軟性のある第１の加湿フィルター部と、四角形状の柔軟性のある第２の加湿フィルター部とを結合した構成とし、前記第１の加湿フィルター部の一方側の辺部と他方側の辺部とを結合し円筒形状とし、この円筒形状の前記第１の加湿フィルター部の一方側の開口を塞ぐように前記第２の加湿フィルター部を結合したものである。
【０００８】
これにより、初期の目的を達成するものである。
【発明の効果】
【０００９】
以上のように本発明は、吸気口と吹出口を有する本体ケースと、この本体ケース内に設けられた加湿手段と送風手段とを備え、前記加湿手段は、略コップ形状の加湿フィルターユニットと、前記加湿フィルターユニットを固定し回転自在に設けられた加湿フィルター枠と、前記加湿フィルター枠を水平方向の回転軸で回転させる回転手段と、前記加湿手段の下部に設けた水槽とからなり、前記加湿フィルター枠は、前記加湿フィルターユニットの周面の一部が前記水槽に供給された水に常時浸るように前記加湿フィルター枠を設けると共に、前記加湿フィルターユニットの中心軸を回転軸として回転し、前記送風手段は、前記吸気口から前記本体ケース内に吸気した空気を前記加湿フィルターユニット内から前記吹出口へと送風し、前記加湿フィルターユニットは、四角形状の柔軟性のある第１の加湿フィルター部と、四角形状の柔軟性のある第２の加湿フィルター部とを結合した構成とし、前記第１の加湿フィルター部の一方側の辺部と他方側の辺部とを結合し円筒形状とし、この円筒形状の前記第１の加湿フィルター部の一方側の開口を塞ぐように前記第２の加湿フィルター部を結合したので、加湿能力を更に向上することができるものである。
【００１０】
すなわち、加湿フィルターユニットは、四角形状の柔軟性のある第１の加湿フィルター部と、四角形状の柔軟性のある第２の加湿フィルター部とを結合した構成とし、第１の加湿フィルター部の一方側の辺部と他方側の辺部とを結合し円筒形状とし、この円筒形状の第１の加湿フィルター部の一方側の開口を塞ぐように第２の加湿フィルター部を結合したので、送風手段が吸気口から本体ケース内に吸気した空気は、加湿フィルター内から筒形状の第１の加湿フィルター部、または筒形状の第１の加湿フィルター部の一方側の開口を塞いでいる第２の加湿フィルター部を通過できるので、本体ケースを大きくせずに、加湿フィルターユニットの面積を大きくすることができる。
【００１１】
結果として、加湿能力を更に向上できるものである。
【図面の簡単な説明】
【００１２】
【図１】本発明の実施の形態１の加湿機の断面図
【図２】同加湿機の本体ケース内を示す斜視図
【図３】同加湿機の加湿フィルターユニットと加湿フィルター枠を示す展開図
【図４】同加湿機の加湿フィルター枠を示す斜視図
【図５】同加湿機の加湿フィルターユニットを示す斜視図
【図６】同加湿機の加湿フィルターユニットを示す斜視図
【発明を実施するための形態】
【００１３】
以下、本実施形態を添付図面を用いて説明する。
【００１４】
（実施の形態）
図１、２に示すように、本実施形態の加湿装置は、吸気口１と吹出口２を有する本体ケース３と、この本体ケース３内で吸気口１から吹出口２に送風される送風路に、加湿手段４と送風手段５とを備えている。
【００１５】
本体ケース３は略立方体形状で、他方側である背面側の下方に吸気口１を設け、天面に吹出口２を備えている。
【００１６】
加湿手段４は、加湿フィルターユニット６と、加湿フィルター枠７と、回転手段（図示せず）と、水槽１０とからなる。加湿フィルターユニット６は、加湿フィルター枠７によって、水槽１０に回転自在に保持されている。加湿フィルターユニット６は、回転手段によって、水槽１０に入った水道水に加湿フィルターユニット６の一部が常に浸漬するように、加湿フィルター枠７と共に回転する。
【００１７】
加湿フィルターユニット６は、図３、４に示すように、略コップ形状をしており、筒形状の筒部８と、この筒部８の一方の開口を塞ぐように設けた蓋部９とで構成されている。加湿フィルターユニット６は、筒部８の軸方向が水平方向で、筒部８の他方側の開口が、本体ケース３の吸気口１に対向するように、加湿フィルター枠７によって保持される。
【００１８】
加湿フィルター枠７は、加湿フィルターユニット６の蓋部９を覆う蓋枠部１１と、加湿フィルターユニット６の筒部８を覆う筒枠部１２とからなる。
【００１９】
蓋枠部１１は、後述する蓋枠側軸受部分１３に回転自在に装着可能な略円柱形状の蓋枠側軸部分１４と、この蓋枠側軸部分１４から放射状に伸びた複数の板形状の桟である第１の蓋枠側桟部分１５と、第１の蓋枠側桟部分１５の先端に備えた筒形状の歯車であるギアー部分１６を有している。更に、このギアー部分１６から放射状に伸びた複数の板形状の桟である第２の蓋枠側桟部分１７と、第２の蓋枠側桟部分１７の先端に備えた略筒形状の蓋枠側周部分１８を備えている。
【００２０】
筒枠部１２は、後述する筒枠側軸受部１９に装着可能な筒枠側軸部分２０と、筒枠側軸部分２０から放射状に伸びた複数の桟である筒枠側桟部分２１と、この筒枠側桟部分２１の先端に設けた円環板形状の筒枠側リング部分２２を有する。筒枠側リング部分２２に外周端部からは、筒枠側軸部分２０の軸方向で、加湿フィルター枠７の内方へ伸びた板形状の複数の筒枠側外周部分２３を備えている。これらの筒枠側外周部分２３の先端には、筒枠側外周部分２３の先端を連結する筒形状の筒枠側外周連結部分２４を有している。筒枠側リング部分２２に内周端部からは、筒枠側軸部分２０の軸方向で、加湿フィルター枠７の内方へ伸びた板形状の複数の筒枠側内周部分２５を備えている。これらの筒枠側内周部分２５の先端には、筒枠側内周部分２５の先端を連結する筒形状の筒枠側内周連結部分２６を有している。
【００２１】
加湿フィルターユニット６の筒部８を、加湿フィルター枠７の筒枠部１２である筒枠側外周部分２３と筒枠側内周部分２５との間に挿入し、加湿フィルターユニット６の蓋部９側に加湿フィルター枠７の蓋枠部１１を嵌めると、筒枠側外周連結部分２４の外周面に、蓋枠側周部分１８の内周面が嵌り、加湿フィルターユニット６を加湿フィルター枠７内に固定できる。
【００２２】
回転手段は、本体ケース３内に設けられ、加湿フィルター枠７のギアー部分１６を介して、加湿フィルター枠７と加湿フィルターユニット６とを回転できる。
【００２３】
水槽１０は、椀形状で、上端から上方へ伸びた、縦長四角形状の平板である一方側支持部２７と他方側支持部２８とを有する。この一方側支持部２７の上部内方には、蓋枠部１１の蓋枠側軸部分１４を回転自在に支持する凹形状の蓋枠側軸受部分１３を備えている。他方側支持部２８の上部内方には、筒枠部１２の筒枠側軸部分２０を回転自在に支持する凹形状の筒枠側軸受部１９を備えている。一方側支持部２７と他方側支持部２８とは対向し、蓋枠側軸受部分１３と筒枠側軸受部１９も対向している。タンク３７によって、一定量の水が水槽１０内へ供給される。
【００２４】
送風手段５は、図１に示すように、送風路における加湿手段４の風下側に配置され、本体ケース３に固定されたモータ部２９と、このモータ部２９から鉛直方向に伸びたモータ軸部３０に装着された羽根部３１と、この羽根部３１を囲んだ略円筒形状のケーシング部３２とからなる。このケーシング部３２の下方の開口が、送風手段５の吸込口３３である。
【００２５】
モータ部２９によって羽根部３１が回転すると、本体ケース３の吸気口１から本体ケース３外の空気が吸込まれ、加湿フィルターユニット６内へ送風される。この加湿フィルターユニット６内へ送風された空気は、加湿フィルターユニット６の筒部８、またはのどちらか一方を通過し、送風手段５の吸込口３３へ送風される。この送風手段５の吸込口３３へ送風された空気は、送風手段５を介して、本体ケース３の吹出口２から本体ケース３外へ送風される。
【００２６】
本実施形態における特徴は、加湿フィルターユニット６の形状である。すなわち、図５に示すように、加湿フィルターユニット６は、筒形状の筒部８である第１の加湿フィルター部４０と、この筒部８の一方側の開口を塞ぐように設けた蓋部９である第２の加湿フィルター部４１とからなる。具体的には、加湿フィルターユニット６は、四角形状の柔軟性のある第１の加湿フィルター部４０と、四角形状の柔軟性のある第２の加湿フィルター部４１とを結合したものである。第１の加湿フィルター部４０の一方側の辺部と他方側の辺部とを結合し円筒形状とし、この円筒形状の第１の加湿フィルター部４０の一方側の開口を塞ぐように第２の加湿フィルター部４１を結合したものである。
【００２７】
更に詳しく加湿フィルターユニット６の構造について、説明すると、まず、第１の加湿フィルター部４０の一方側の辺部と他方側の辺部とを結合し円筒形状とする。同様に、第２の加湿フィルター部４１の一方側の辺部と他方側の辺部とを結合し円筒形状とする。これらの結合は、糸４５で縫い合わせたものである。次に、図６に示すように、円筒形状の第１の加湿フィルター部４０は、円筒形状の第１の加湿フィルター部４０の内方に、この円筒形状の第２の加湿フィルター部４１を設ける。ここで、第１の加湿フィルター部４０の中心軸と、第２の加湿フィルター部の中心軸とが同一になるように、第１の加湿フィルター部と第２の加湿フィルター部の一方側の開口端部を結合する。この結合は、糸４２で縫い合わせたものである。そして、図５に示すように、第２の加湿フィルター部の他方側の開口を塞ぐように他方側の開口端部を重ねて結合する。この結合は、糸４３で縫い合わせたものである。なお、第１の加湿フィルター部４０の一方側の辺部と他方側の辺部とを結合、第２の加湿フィルター部４１の一方側の辺部と他方側の辺部とを結合、第１の加湿フィルター部４０と第２の加湿フィルター部４１の一方側の開口端部の結合、および第２の加湿フィルター部４１の他方側の開口を塞ぐように他方側の開口端部を重ねての結合は、糸によって縫い合わせたものに限定するものではなく、熱溶着、接着剤でもよい。
【００２８】
すなわち、送風手段５が吸気口１から本体ケース３内に吸気した空気は、加湿フィルターユニット６内から筒形状の第１の加湿フィルター部４０、または筒形状の第１の加湿フィルター部４０の一方側の開口を塞いでいる第２の加湿フィルター部４１を通過できるので、本体ケース３を大きくせずに、加湿フィルターユニット６の面積を大きくすることができる。結果として、加湿能力を更に向上できるものである。
【００２９】
また、第１の加湿フィルター部４０と第２の加湿フィルター部４１とは、四角形状なので、材料取りを向上させることができる。仮に、第２の加湿フィルター部４１を円形状にすると、材料取りが悪くなる。一般的に、フィルター素材は、長四角形状のものをロール上に巻いている。長四角形状のフィルター素材から円形状を切り取ると、切れ端が多く発生する。すなわち、第１の加湿フィルター部４０と第２の加湿フィルター部４１とを、四角形状とすることにより、切れ端の発生を抑制できるので、材料取りが向上する。
【００３０】
また、送風手段５の吸込口３３は、第１の加湿フィルター部４０の外周面に対向し、第１の加湿フィルター部４０は、第２の加湿フィルター部４１より通風抵抗が大きいものである。具体的には、第１の加湿フィルター部４０は、ｎ枚、つまり２枚の加湿フィルター材４４からなり、第２の加湿フィルター部４１は、ｍ枚、つまり１枚の加湿フィルター材４４からなり、ｎ枚は、ｍ枚より大きいものである。
【００３１】
すなわち、送風手段５の吸込口３３は、第１の加湿フィルター部４０の外周面に対向し、第１の加湿フィルター部４０は、第２の加湿フィルター部４１より通風抵抗が大きいので、送風手段５によって、吸気口１から吸込まれた空気は、第１の加湿フィルター部４０だけでなく、第２の加湿フィルター部４１にも送風され、加湿フィルターユニット６全体に空気が流れ易くなる。結果として、加湿能力を更に向上できるものである。
【産業上の利用可能性】
【００３２】
以上のように本発明は、吸気口と吹出口を有する本体ケースと、この本体ケース内に設けられた加湿手段と送風手段とを備え、前記加湿手段は、略コップ形状の加湿フィルターユニットと、前記加湿フィルターユニットを固定し回転自在に設けられた加湿フィルター枠と、前記加湿フィルター枠を水平方向の回転軸で回転させる回転手段と、前記加湿手段の下部に設けた水槽とからなり、前記加湿フィルター枠は、前記加湿フィルターユニットの周面の一部が前記水槽に供給された水に常時浸るように前記加湿フィルター枠を設けると共に、前記加湿フィルターユニットの中心軸を回転軸として回転し、前記送風手段は、前記吸気口から前記本体ケース内に吸気した空気を前記加湿フィルターユニット内から前記吹出口へと送風し、前記加湿フィルターユニットは、円筒形状の第１の加湿フィルター部と、この第１の加湿フィルター部の内方に設けた円筒形状の前記第２の加湿フィルター部とからなり、前記第１の加湿フィルター部の中心軸と、前記第２の加湿フィルター部の中心軸とが同一になるように前記第１の加湿フィルター部と前記第２の加湿フィルター部の一方側の開口端部を結合し、前記第２の加湿フィルター部の他方側の開口を塞ぐように他方側の開口端部を重ねて結合した構成としたので、加湿能力を更に向上することができるものである。
【００３３】
すなわち、加湿フィルターユニットは、円筒形状の第１の加湿フィルター部と、この第１の加湿フィルター部の内方に設けた円筒形状の第２の加湿フィルター部とからなり、第１の加湿フィルター部の中心軸と、第２の加湿フィルター部の中心軸とが同一になるように第１の加湿フィルター部と第２の加湿フィルター部の一方側の開口端部を結合し、第２の加湿フィルター部の他方側の開口を塞ぐように他方側の開口端部を重ねて結合したので、送風手段が吸気口から本体ケース内に吸気した空気は、加湿フィルター内から筒形状の第１の加湿フィルター部、または筒形状の第１の加湿フィルター部の一方側の開口を塞いでいる第２の加湿フィルター部を通過できるので、本体ケースを大きくせずに、加湿フィルターユニットの面積を大きくすることができる。
【００３４】
結果として、加湿能力を更に向上できるものである。
【００３５】
従って、家庭用や事務所用などの、加湿機として活用が期待されるものである。
【符号の説明】
【００３６】
１      吸気口
２      吹出口
３      本体ケース
４      加湿手段
５      送風手段
６      加湿フィルターユニット
７      加湿フィルター枠
８      筒部
９      蓋部
１０      水槽
１１      蓋枠部
１２      筒枠部
１３      蓋枠側軸受部分
１４      蓋枠側軸部分
１５      第１の蓋枠側桟部分
１６      ギアー部分
１７      第２の蓋枠側桟部分
１８      蓋枠側周部分
１９      筒枠側軸受部
２０      筒枠側軸部分
２１      筒枠側桟部分
２２      筒枠側リング部分
２３      筒枠側外周部分
２４      筒枠側外周連結部分
２５      筒枠側内周部分
２６      筒枠側内周連結部分
２７      一方側支持部
２８      他方側支持部
２９      モータ部
３０      モータ軸部
３１      羽根部
３２      ケーシング部
３３      吸込口
３７      タンク
４０      第１の加湿フィルター部
４１      第２の加湿フィルター部
４２      糸
４３      糸
４４      加湿フィルター材
４５      糸
【図１】
2015064172.tif 000003
【図２】
2015064172.tif 000004
【図３】
2015064172.tif 000005
【図４】
2015064172.tif 000006
【図５】
2015064172.tif 000007
【図６】
2015064172.tif 000008